(57)【要約】【課題】本体部とヘッド部とを細身の支持部で連結しても、その支持部が撓んだり折れたりすることがない電気かみそりを提供する。【解決手段】固定外刃２２と可動内刃２１を備えたヘッド部３を、本体部１の上側の左右に設けた細身の左右一対の支持部２・２に連結した。左右の支持部２・２の内部には、支持部２を補強するための金属製の剛体等から成る補強部材６０・６０がそれぞれ配置されている。【選択図】図１
2008080020.tif 000002
【特許請求の範囲】
【請求項１】
固定刃（２２）と可動刃（２１）を備えたヘッド部（３）を、本体部（１）の上側に設けた細身の支持部（２）に連結した電気かみそりであって、
支持部（２）の内部に、補強用の補強部材（６０）を配置したことを特徴とする電気かみそり。
【請求項２】
ヘッド部（３）は、支持部（２）に対して浮動自在に支持された請求項１に記載の電気かみそり。
【請求項３】
ヘッド部（３）は、支持部（２）内に配置した弾性体（３１）で受け止められることで、支持部（２）に対して浮動自在に支持されており、
弾性体（３１）の上端部がヘッド部（３）に設けた受け面（３２）に当接し、弾性体（３１）の下端部が支持部（２）内に設けた受け座（３３）に当接した状態で、弾性体（３１）が上下方向に伸縮する請求項２に記載の電気かみそり。
【請求項４】
補強部材（６０）の一部もしくは全部が金属製の剛体で形成されており、
補強部材（６０）は、支持部（２）内に固定されている請求項１と２と３の何れかに記載の電気かみそり。
【請求項５】
補強部材（６０）は、支持部（２）の上下長さ方向に沿って延びており、
補強部材（６０）は、Ｌ字状、コ字状もしくはロ字状の断面形状を成している請求項１と２と３と４の何れかに記載の電気かみそり。
【請求項６】
補強部材（６０）は、金属製の扁平断面形状の板状材（６１）と、プラスチック製のＬ字状もしくはコ字状の断面形状の棒状材（６２）とから成る請求項５に記載の電気かみそり。
【請求項７】
補強部材（６０）は、金属製の板状材（６１）とプラスチック製の棒状材（６２）とが重なり合った積層構造であって、
補強部材（６０）は、金属製の板状材（６１）を芯材とし、少なくともその片面にインサート成形されたプラスチック製の棒状材（６２）を積層して成る請求項５と６の何れかに記載の電気かみそり。
【請求項８】
支持部（２）は、前面側に位置する前支持ハーフ（２ａ）と、後面側に位置する後支持ハーフ（２ｂ）とを蓋合わせ状に結合することで形成されており、
補強部材（６０）は、前支持ハーフ（２ａ）と後支持ハーフ（２ｂ）との何れか一方または双方の支持ハーフの内面に固定されており、
前支持ハーフ（２ａ）と後支持ハーフ（２ｂ）との何れか一方または双方が、補強部材（６０）に設けた係止部（６６）に係止されて固定される請求項１と２と３と４と５と６と７の何れかに記載の電気かみそり。
【請求項９】
ヘッド部（３）の側面には、上下方向に延びる規制溝（３０）が形成されており、
規制溝（３０）の上下方向の中間まで、支持腕（２）の上端部が嵌まり込んでいる請求項１と２と３と４と５と６と７と８の何れかに記載の電気かみそり。
【請求項１０】
弾性体（３１）は、ヘッド部（３）の規制溝（３０）の内面（３０ａ）と、支持腕（２）の上端部（２ｃ）の内面（２ｄ）とで上下方向の伸縮動作が案内される請求項９に記載の電気かみそり。
【請求項１１】
支持腕（２）の上部に、上下方向に延びる案内溝（６９）が形成されており、
支持腕（２）の案内溝（６９）に、ヘッド部（３）に設けた案内用突起（７０）が上下動自在に嵌合している請求項１と２と３と４と５と６と７と８と９と１０の何れかに記載の電気かみそり。
【請求項１２】
本体部（１）の上端の左右に、支持部（２・２）がそれぞれ設けられており、
本体部（１）とヘッド部（３）との間には、本体部（１）と左右の支持腕（２・２）とヘッド部（３）とで囲まれた窓（５）が形成されており、
窓（５）の下縁に臨む本体部（１）の上端部（１ｃ）に臨ませて、親指を掛けるために凹状に湾曲させた親指掛け用凹部（１５）が配されている請求項１と２と３と４と５と６と７と８と９と１０と１１の何れかに記載の電気かみそり。
【発明の詳細な説明】
【技術分野】
【０００１】
本発明は、モーターで駆動される往復動式や回転式の可動内刃を有する電気かみそりに関するものである。
【背景技術】
【０００２】
電気かみそりにおいて、２次電池や回路基板等を収容した本体部の上端に、固定外刃と可動内刃とを有するヘッド部を連結して支持することは、例えば特許文献１〜４に開示されている。
【０００３】
【特許文献１】特開２００５−７３９３９号公報（図１）
【特許文献２】特開２００１−２５５８６号公報（図２−３）
【特許文献３】特開平９−２２０３７９号公報（図１）
【特許文献４】特開平８−１０４６５号公報（図２・５）
【発明の開示】
【発明が解決しようとする課題】
【０００４】
近年の電気かみそりは、デザイン性等の点からスリム化が図られており、それに伴って本出願人は、本体部とヘッド部とを細身の支持部で連結して、スリムなイメージをもつ電気かみそりを開発することを考えた。
【０００５】
ところが、ヘッド部内には、可動内刃を駆動するためのモーターが収容されており、その分だけヘッド部が重くなっている。また、髭等を剃る際には固定外刃を肌面に押し付けるので、支持部にはある程度の荷重が加わる。このため、支持部は、簡単には撓んだり折れたりしないように構成する必要がある。
【０００６】
そこで本発明の目的は、本体部とヘッド部とを細身の支持部で連結しても、その支持部が撓んだり折れたりすることがない電気かみそりを提供することにある。
【課題を解決するための手段】
【０００７】
本発明は、固定刃２２と可動刃２１を備えたヘッド部３を、本体部１の上側に設けた細身の支持部２に連結した電気かみそりであって、支持部２の内部に、補強用の補強部材６０を配置したことを第１の特徴とする（図１および図２）。
【０００８】
本発明の第２の特徴は、前記第１の特徴に加えて、ヘッド部３が、支持部２に対して浮動自在に支持された点にある。
【０００９】
本発明の第３の特徴は、前記第２の特徴に加えて、ヘッド部３は、支持部２内に配置した弾性体３１で受け止められることで、支持部２に対して浮動自在に支持されており、弾性体３１の上端部がヘッド部３に設けた受け面３２に当接し、弾性体３１の下端部が支持部２内に設けた受け座３３に当接した状態で、弾性体３１が上下方向に伸縮する点にある。
【００１０】
本発明の第４の特徴は、前記第１、第２、第３の特徴に加えて、補強部材６０の一部もしくは全部が金属製の剛体で形成されており、補強部材６０は、支持部２内に固定されている点にある。
【００１１】
本発明の第５の特徴は、前記第１、第２、第３、第４の特徴に加えて、補強部材６０は、支持部２の上下長さ方向に沿って延びており、補強部材６０は、Ｌ字状、コ字状もしくはロ字状の断面形状を成している点にある。
【００１２】
本発明の第６の特徴は、前記第５の特徴に加えて、補強部材６０は、金属製の扁平断面形状の板状材６１と、プラスチック製のＬ字状もしくはコ字状の断面形状の棒状材６２とから成る点にある。
【００１３】
本発明の第７の特徴は、前記第５、第６の特徴に加えて、補強部材６０は、金属製の板状材６１とプラスチック製の棒状材６２とが重なり合った積層構造であって、補強部材６０は、金属製の板状材６１を芯材とし、少なくともその片面にインサート成形されたプラスチック製の棒状材６２を積層して成る点にある。
【００１４】
本発明の第８の特徴は、前記第１、第２、第３、第４、第５、第６、第７の特徴に加えて、支持部２は、前面側に位置する前支持ハーフ２ａと、後面側に位置する後支持ハーフ２ｂとを蓋合わせ状に結合することで形成されており、補強部材６０は、前支持ハーフ２ａと後支持ハーフ２ｂとの何れか一方または双方の支持ハーフの内面に固定されており、前支持ハーフ２ａと後支持ハーフ２ｂとの何れか一方または双方が、補強部材６０に設けた係止部６６に係止されて固定される点にある。
【００１５】
本発明の第９の特徴は、前記第１、第２、第３、第４、第５、第６、第７、第８の特徴に加えて、ヘッド部３の側面には、上下方向に延びる規制溝３０が形成されており、規制溝３０の上下方向の中間まで、支持腕２の上端部が嵌まり込んでいる点にある。
【００１６】
本発明の第１０の特徴は、前記第９の特徴に加えて、弾性体３１は、ヘッド部３の規制溝３０の内面３０ａと、支持腕２の上端部２ｃの内面２ｄとで上下方向の伸縮動作が案内される点にある。
【００１７】
本発明の第１１の特徴は、前記第１、第２、第３、第４、第５、第６、第７、第８、第９、第１０の特徴に加えて、支持腕２の前面の上部に、上下方向に延びる案内溝６９が形成されており、支持腕２の案内溝６９に、ヘッド部３に設けた案内用突起７０が上下動自在に嵌合している点にある。
【００１８】
本発明の第１２の特徴は、前記第１、第２、第３、第４、第５、第６、第７、第８、第９、第１０、第１１の特徴に加えて、本体部１の上端の左右に、支持部２・２がそれぞれ設けられており、本体部１とヘッド部３との間には、本体部１と左右の支持腕２・２とヘッド部３とで囲まれた窓５が形成されており、窓５の下縁に臨む本体部１の上端部１ｃに臨ませて、親指を掛けるために凹状に湾曲させた親指掛け用凹部１５が配されている点にある。
【発明の効果】
【００１９】
本発明では、支持部２の内部に補強部材６０を配置したので、本体部１とヘッド部３とを細身の支持部２で連結しても、その支持部２が補強されて撓んだり折れたりすることを確実に防止できる。支持部２を細身に形成できるので、スリムなイメージをもつ電気かみそりを得ることができる。
【００２０】
ヘッド部３が支持部２に対して浮動自在に支持されたので、肌の凹凸に沿ってヘッド部３が動くことができ、肌を痛めない髭剃りが可能になる。
【００２１】
ヘッド部３が、支持部２内の弾性体３１で受け止められるので、ヘッド部３が支持部２に対して確実に浮動自在に支持される。
【００２２】
補強部材６０が、金属製の剛体で形成されて支持部２内に固定されるので、経時的な劣化を小さくできて、長期間にわたって支持部２を補強することができる。
【００２３】
補強部材６０が、Ｌ字状、コ字状もしくはロ字状の断面形状を成しているので、補強部材６０の材料を節減できながら、支持部２を確実に補強することができる。
【００２４】
補強部材６０が、金属製の扁平断面形状の板状材６１と、プラスチック製のＬ字状もしくはコ字状の断面形状の棒状材６２とから成るので、金属の複雑な折り曲げ加工などを低減でき、その分だけ加工が容易になるうえに製造のばらつきを低減できる。
【００２５】
補強部材６０が、金属製の板状材６１を芯材とし、少なくともその片面にインサート成形されたプラスチック製の棒状材６２を積層して成るので、板状材６１と棒状材６２とを互いに組み付ける手間が省略できて、その分だけ加工が容易になるうえに製造のばらつきを低減できる。
【００２６】
補強部材６０は、前支持ハーフ２ａと後支持ハーフ２ｂとの何れか一方または双方の支持ハーフの内面に固定され、前支持ハーフ２ａと後支持ハーフ２ｂとの何れか一方または双方が補強部材６０の係止部６６に係止されて固定されるので、支持部２は補強部材６０による衝撃緩衝効果を得ることができる。さらに、前支持ハーフ２ａと後支持ハーフ２ｂとをしっかりと結合できて、前支持ハーフ２ａに対して後支持ハーフ２ｂが外れることが防止される。
【００２７】
規制溝３０の上下方向の中間まで、支持腕２の上端部が嵌まり込んでいるので、ヘッド部３に加わった回転モーメントで、ヘッド部３が拗れることが防止され、ヘッド部３を支持部２に対して確実に浮動自在に支持することができる。
【００２８】
弾性体３１が、ヘッド部３の規制溝３０の内面３０ａと、支持腕２の上端部２ｃの内面２ｄとで上下方向の伸縮動作が案内されるので、ヘッド部３を支持部２に対して確実に浮動自在に支持できながら、その案内構造をコンパクトにでき、しかもデザイン性が向上する。
【００２９】
支持腕２の案内溝６９に、ヘッド部３の案内用突起７０が上下動自在に嵌合しているので、ヘッド部３が左右遊動することを抑制して、ヘッド部３に安定感を与えて質感を向上させることができる。
【００３０】
本体部１と左右の支持腕２・２とヘッド部３とで囲まれた窓５が形成されるとともに、親指掛け用凹部１５が配されるので、デザイン性が向上するとともに、親指が本体部１に対して滑り難くなって、電気かみそりの操作性が向上する。
【発明を実施するための最良の形態】
【００３１】
図面は、本発明をロータリー式の電気かみそりに適用した例を示している。この電気かみそりは、図２に示すように、グリップを兼ねる縦長の本体部１と、本体部１の上端の左右に設けた左右一対の細身の支持腕２・２と、左右の支持腕２・２で浮動支持されるヘッド部３とを備えている。
【００３２】
左右の支持腕２・２は、本体部１の上端の左右両端から上向きにそれぞれ突設している。これによって、本体部１とヘッド部３との間には、本体部１と左右の支持腕２・２とヘッド部３とで囲まれた四角形の窓５が形成されている。窓５は、電気かみそりの前後方向に貫通する。この窓５によって本電気かみそりのデザイン性が向上している。左右の支持腕２・２は、図４に示すように、前後方向（図４の左右方向）に湾曲しており、これによってヘッド部３が前屈みの傾斜姿勢になっている。
【００３３】
本体部１の内部には、２個の２次電池６・６や回路基板等を収容してある。本体部１の上端部１ｃの前面には化粧パネル７が配置されており、化粧パネル７の上下に押しボタン型のスイッチボタン９と、スイッチボタン９がオン操作されたときに点灯する第１表示灯１０等を配置してある。本体部１の上端部１ｃは窪み形成されており、その本体部１の上端部１ｃに化粧パネル７の上端部７ａが臨んでいる（図４参照）。本体部１の前面において化粧パネル７の下側には、充電時に点灯する第２表示灯１１等を配置してある。
【００３４】
本体部１は、図５および図８に示すように、前後に分割される前本体ハーフ１ａおよび後本体ハーフ１ｂを蓋合わせ状に結合してなる。左右の支持腕２・２は、前面側に位置する前支持ハーフ２ａ・２ａと、後面側に位置する後支持ハーフ２ｂ・２ｂとから成り、前面側に位置する前本体ハーフ１ａの上端に、左右の前支持ハーフ２ａ・２ａがそれぞれ一体形成されており、後面側に位置する後本体ハーフ１ｂの上端に、左右の後支持ハーフ２ｂ・２ｂがそれぞれ一体形成されている。前本体ハーフ１ａと後本体ハーフ１ｂは、枠状のパッキン１２を介してビス１３で結合される。
【００３５】
窓５の下端に臨む化粧パネル７の上端部７ａの前面は、窪み形状になっており、その化粧パネル７の上端部７ａの前面には、使用者が本体部１を掴んだ際にその使用者の親指を掛けるために凹状に湾曲した親指掛け用凹部１５が配されている。親指掛け用凹部１５に親指を掛けることで（図７参照）、その親指が本体部１に対して滑り難くなって、電気かみそりの操作性が向上する。親指掛け用凹部１５は、親指の滑り止めをより確実にするためにシリコンゴム等で形成されている。親指掛け用凹部１５を、例えばプラスチック等で成形し、その親指掛け用凹部１５の表面に滑り止め塗料を塗布してもよく、親指掛け用凹部１５の成形時において表面にしぼ状の加工を施してもよい。
【００３６】
本体部１の後本体ハーフ１ｂの裏側には、化粧カバー１６が係止されており、窓５の下端に臨む化粧カバー１６の上端部には、人差し指を掛けるための人差し指掛け用凹部１７（図３および図７参照）が窪み形成される。人差し指掛け用凹部１７に人差し指を掛けることで人差し指が動き難くなって、電気かみそりを誤って落下させることを低減できる。
【００３７】
図１および図４においてヘッド部３は、ヘッドケース２０と、ヘッドケース２０に組み込まれる可動内刃２１、固定外刃２２および外刃ホルダー２３と、内刃駆動用のモーター２５と、モーター動力を可動内刃２１に伝動するギヤ機構２６とを含む。ギヤ機構２６は、ギヤカバー２７で覆われている。
【００３８】
図４において、ヘッド部３のヘッドケース２０は、前後に分割される前ヘッドハーフ２０ａおよび後ヘッドハーフ２０ｂをビス２９（図９参照）を用いて蓋合わせ状に結合してなる。ヘッドケース２０の左右両側面には、図５に示すように、上下方向に延びる左右一対の規制溝３０がそれぞれ形成されており、各規制溝３０の上下方向の中間まで、左右の支持腕２・２の上端部がそれぞれ嵌まり込んでいる。これにより、ヘッド部３は、前後の横ぶれが規制された状態で上下動可能になる。左右の支持腕２・２の各上端部は、図８に示すように、上面側と前面の窓５側とがそれぞれ切り欠いてあり、この切り欠きに臨むようにフロートばね（弾性体）３１が支持腕２内に配置される。
【００３９】
図１および図５に示すように、各規制溝３０の上面は、各フロートばね３１の上端部がそれぞれ当接するばね受け面３２になっており、各フロートばね３１の下端部は、各前支持ハーフ２ａ内に設けた板状のばね受け座３３の上面にそれぞれ当接している。各ばね受け座３３は、各支持腕２の上端部の切り欠きに臨むように設けられる。そして、各フロートばね３１は、各前支持ハーフ２ａの上端部内でそれぞれ上下方向に伸縮自在になっている。つまり、ヘッド部３は、左右のフロートばね３１・３１で受け止められて、左右の支持腕２・２に対して左右同時昇降可能に浮動支持される。この状態で、各フロートばね３１は、ヘッド部３の規制溝３０の内面３０ａと支持腕２の上端部２ｃの内面２ｄとで上下方向の伸縮が案内される。
【００４０】
図１に示すように、各ばね受け座３３には、ヘッドケース２０の下部の左右に設けたフック３５・３５がそれぞれ係止される。これによって、左右の支持腕２・２からのヘッド部３の抜け止めが図られる。
【００４１】
可動内刃２１は、横軸回りに回転するロータリー刃から成る。つまり、可動内刃２１は、横置きの円柱状の樹脂基台１９（図４参照）に埋設されるスパイラル状の複数条の小刃から成る。樹脂基台１９は、一方の軸部分（図１の右側）に終段ギヤ３６が固定されており、横軸回りに回転するようになっている。ギヤ機構２６は、平歯車群からなるギヤトレインで構成してあり、モーター２５の出力軸３７の回転動力が、減速した状態で終段ギヤ３６に伝動される。樹脂基台１９の他方の軸部分（図１の左側）は、図９に示す内刃支持台４０で回転自在に軸支されており、可動内刃２１は、内刃支持台４０の上側に臨ませて配置される。固定外刃２２は、網刃で形成されており、外刃ホルダー２３によってアーチ状に保形して支持される。モーター２５は前後周面が平坦に形成してあり、その一側に出力軸３７を有し、他側から給電リードを導出する。
【００４２】
ヘッド部を水洗い可能とするために、図６および図９に示すように、モーター２５をハウジング４１内に収容して水密状に封止する。ハウジング４１は、左右に分割される第１・第２のケース４１ａ・４１ｂと、両ケース４１ａ・４１ｂを分離不能に係合するクリップ４２等で構成する。第１ケース４１ａは、モーター２５の全体を収容できる有底筒状に形成してある。第２ケース４１ｂは、第１ケース４１ａの開口を塞ぐ浅い皿形状に形成してある。クリップ４２は、ばね板材を素材とするコ字状のプレス成形品であり、両ケース４１ａ・４１ｂの対向周面を同時に挟持して、両ケース４１ａ・４１ｂを分離不能に固定する。第１ケース４１ａと第２ケース４１ｂとの間には、パッキン４３が配置される。
【００４３】
ハウジング４１の左右の側端上面には、内刃支持台４０の左右両端をそれぞれ支持する左右一対の内刃ブラケット４５・４６がハウジング４１の第１ケース４１ａに一体形成されている。これらの内刃ブラケット４５・４６には、内刃支持台４０を橋絡状に載置してあり、内刃支持台４０の左右両端をビスで内刃ブラケット４５・４６の上面にそれぞれ締結することにより、内刃支持台４０がハウジング４１に一体化する。
【００４４】
一方（図９の右側）の内刃ブラケット４５の側面には、ギヤ機構２６の平歯車４９が支持され、ハウジング２６の左右の側面に支持された平歯車５０と共にギヤカバー２７で覆われる。一方の内刃ブラケット４５の上面には、内刃支持台４０の位置決め用凸部４７が設けられている。他方（図９の左側）の内刃ブラケット３２の上面には、内刃支持台４０の内刃軸受け部５１を外嵌保持する嵌合突起５２が設けられている。モーター２５は、その出力軸３７が側端壁から突出する状態で第１ケース４１ａ内に組み込まれ、図６に示すように、出力軸３７と第１ケース４１ａの開口部分との隙間がパッキン５３でシールされる。
【００４５】
モーター２５が収容されたハウジング４１は、図６に示すように、ヘッドケース２０の前ヘッドハーフ２０ａと後ヘッドハーフ２０ｂとで前後方向に挟み込まれており、両ハーフ２０ａ・２０ｂの接合縁を互いに係合し、さらに上側接合面の左右を一対のビス２９（図９）で締結することにより、ハウジング４１がヘッドケース２０に一体化する。モーター２５の給電リードは、支持腕２を介して本体部１に配線される。
【００４６】
このように、内刃支持台４０をハウジング４１に固定する内刃ブラケット４５・４６が、ハウジング４１に一体形成されているので、ハウジング４１と内刃ブラケット４５・４６とを別々に製造して組み立てる場合よりも製造誤差の影響を受け難くなる。その分だけハウジング４１に一体化しているヘッドケース２０およびそのヘッドケース２０に装着の外刃ホルダー２３に対する内刃支持台４０の水平精度が高くなる。つまり、内刃支持台４０に支持された可動内刃２１に対する外刃ホルダー２３の固定外刃２２の位置精度も向上して、製造誤差の影響を受け難い分だけ可動内刃２１と固定外刃２２との密着性が向上し、適正な切れ味を得ることができる。
【００４７】
ヘッドケース２０に装着の外刃ホルダー２３をロック保持するために、図１に示すように、外刃ホルダー２３の左右両側壁には、ロック解除ボタン５５・５５をそれぞれ配置してあり、各ボタン５５が、外刃ホルダー２３に内嵌するヘッドケース２０の上端部の左右両側壁に設けた各ロック爪５６を押し込む。各ロック爪５６は、ヘッドケース２０の上端部に配した圧縮コイルばね５７でロック解除ボタン５５側へ付勢されている。
【００４８】
圧縮コイルばね５７の付勢力に抗して各ロック解除ボタン５５をそれぞれ押し込み操作すると、ロック解除ボタン５５によってロック爪５６が、ヘッドケース２０の上端部内に押し込まれて、外刃ホルダー２３の内面に設けたロック凹部５９（図５参照）とロック爪５６との係合状態が解除され、外刃ホルダー２３をヘッドケース２０から取り外すことができる。
【００４９】
左右の支持腕２・２の各内部空間には、各支持腕２を補強するための補強部材６０・６０をそれぞれ配置してある。各補強部材６０は、図１および図８に示すように、支持腕２の前後湾曲に合わせて湾曲したステンレス板などの扁平断面形状の金属製の剛体である板状材（金属板）６１と、プラスチック製の棒状材６２とが重なり合った積層構造である。つまり、補強部材６０は、板状材６１を芯材とし、少なくともその片面にインサート成形されたプラスチック製の棒状材６２を積層して成る。
【００５０】
各板状材６１および各棒状材６２は、図８に示すように、支持腕２の上下長さ方向に沿って延びている。各板状材６１は、縦長に形成されており、支持腕２の形状に合わせて前後方向に湾曲している。各棒状材６２は、Ｌ字状の断面形状を成しており、支持腕２の形状に合わせて前後方向に湾曲している。各補強部材６０は、コ字状（図１２参照）もしくはロ字状（図１３参照）の断面形状を成していてもよい。
【００５１】
各板状材６１と各棒状材６２とには、それぞれ複数個の貫通孔６３が上下に並んで貫通状に形成されている。各板状材６１の貫通孔６３と各棒状材６２の貫通孔６３とは、互いに重なり合うように形成されている。これらの貫通孔６３に、支持腕２の前支持ハーフ２ａの内面に設けた固定用突起６５がそれぞれ嵌合する。
【００５２】
そして、各固定用突起６５の先端が押し潰した状態に加工されることで、各板状材６１および各棒状材６２が一体で前支持ハーフ２ａの内面に固定される（図５および図７の状態）。各板状材６１および各棒状材６２の左右端部には、複数個の係止用切り欠き（係止部）６６が形成されており、係止用切り欠き６６に、支持腕２の後支持ハーフ２ｂの内面に設けた係止用フック６７がそれぞれ係止されて固定される（図７の状態）。
【００５３】
各前支持ハーフ２ａの前面および各後支持ハーフ２ｂの後面には、図５および図６に示すように、上下方向に延びる案内溝６９がそれぞれ形成されており、各案内溝６９にヘッドケース２０に設けた案内用突起７０がそれぞれ上下動自在に嵌合することで、ヘッド部３は、上下動が可能でありながら左右遊動が規制される。これにより、ヘッド部３に安定感を与えて質感を向上させることができるとともに、ばね受け座３３からヘッドケース２０のフック３５が外れることを防止できる。
【００５４】
各補強部材６０の上端は、図１および図５に示すように、各支持腕２の前支持ハーフ２ａのばね受け座３３の下面にそれぞれに当接しており、各補強部材６０の下端が、各前支持ハーフ２ａの内面に設けた支持リブ２ｅの上面にそれぞれに当接している。つまり、各固定用突起６５を介して前支持ハーフ２ａに固定されるとともに前支持ハーフ２ａの支持リブ２ｅに突っ張り状に支えられた補強部材６０によって、ばね受け座３３が下側から支持される。支持リブ２ｅは、支持腕２の後支持ハーフ２ｂの内面に設けてもよい。
【００５５】
このように、剛体の板状材６１を芯材とする補強部材６０を介して、前支持ハーフ２ａの支持リブ２ｅでばね受け座３３を下支えしているうえに、補強部材６０自体も前支持ハーフ２ａに固定されているので、ばね受け座３３は極めて強固に下支えされる。従って、ばね受け座３３が撓んで、ばね受け座３３からフロートばね３１が外れたりすること等を確実に防止できる。なお、補強部材６０は、各固定用突起６５で前支持ハーフ２ａに確りと固定されているので、補強部材６０の下端が、前支持ハーフ２ａの支持リブ２ｅに当接していなくても、補強部材６０のみでばね受け座３３を下支えすることもできる。
【００５６】
後支持ハーフ２ｂの内面に固定用突起６５を設けて、補強部材６０が、後支持ハーフ２ｂの内面に固定されるようにしてもよい。さらに、前支持ハーフ２ａの内面に係止用フック６７を設けて、前支持ハーフ２ａが補強部材６０に係止されて固定されるようにしてもよい。つまり、補強部材６０は支持腕２内に固定されればよく、支持腕２内に固定された補強部材６０の上端でばね受け座３３の下面が下支えされることになる。なお、各フロートばね３１はゴムに代えてもよい。
【００５７】
図１０および図１１に示すように、各補強部材６０は、ビス７１で支持腕２の前支持ハーフ２ａの内面にそれぞれ固定するようにしてもよい。この場合の各補強部材６０は、その全体がステンレスなどの金属で形成される。図１０および図１１に示す各補強部材６０も、その上端が前支持ハーフ２ａのばね受け座３３にそれぞれに当接しており、各補強部材６０の下端が各前支持ハーフ２ａの支持リブ２ｅにそれぞれに当接している。これによって、ばね受け座３３が下支えされるうえに、補強部材６０自体もビス７１で前支持ハーフ２ａに固定されて、ばね受け座３３が極めて強固に下支えされる。従って、ばね受け座３３が撓むこと等を確実に防止できる。この場合にも、補強部材６０は、ビス７１で前支持ハーフ２ａに確りと固定されているので、補強部材６０の下端が、前支持ハーフ２ａの支持リブ２ｅに当接していなくても、補強部材６０のみでばね受け座３３を下支えすることもできる。
【００５８】
図１０および図１１に示す各補強部材６０も、支持腕２内に固定されればよく、後支持ハーフ２ｂの内面にビス７１で固定されるとともに、前支持ハーフ２ａが補強部材６０に係止されて固定されるようにしてもよい。この実施例でも、支持腕２内に固定された補強部材６０の上端でばね受け座３３の下面が下支えされることになる。なお、この実施例でも、支持腕２の後支持ハーフ２ｂの内面に支持リブ２ｅを設けてもよく、各フロートばね３１をゴムに代えてもよい。
【００５９】
補強部材６０は、前支持ハーフ２ａと後支持ハーフ２ｂとの何れか一方または双方の支持ハーフの内面に固定されていればよく、これに伴って前支持ハーフ２ａと後支持ハーフ２ｂとの何れか一方または双方が、補強部材６０に設けた係止部６６に係止されて固定されていればよい。
【００６０】
補強部材６０は、全体をステンレスなどの金属製の剛体で形成してもよい。この場合も補強部材６０も、例えば、Ｌ字状、コ字状もしくはロ字状の断面形状を成していてもよい。
【図面の簡単な説明】
【００６１】
【図１】本発明の電気かみそりの縦断正面図である。
【図２】本発明の電気かみそりの正面図である。
【図３】本発明の電気かみそりの側面図である。
【図４】図２のＡ−Ａ線断面図である。
【図５】図２のＢ―Ｂ線断面図である。
【図６】図２のＣ―Ｃ線断面図である。
【図７】図２のＤ―Ｄ線断面図である。
【図８】本発明の電気かみそりの分解斜視図である。
【図９】ヘッド部の分解斜視図である。
【図１０】電気かみそりの他の実施例の要部の縦断正面図である。
【図１１】図１０のＥ―Ｅ線断面図である。
【図１２】補強部材の他の実施例の横断面図である。
【図１３】補強部材のさらに他の実施例の横断面図である。
【符号の説明】
【００６２】
１  本体部
２  支持部
２ａ  前支持ハーフ
２ｂ  後支持ハーフ
３  ヘッド部
５  窓
１５  親指掛け用凹部
２１  可動内刃
２２  固定外刃
３０  規制溝
３１  フロートばね
３２  ばね受け面
３３  ばね受け座
６０  補強部材
６１  板状材
６２  棒状材
６６  係止部
６９  案内溝
７０  案内用突起
【図１】
2008080020.tif 000003
【図２】
2008080020.tif 000004
【図３】
2008080020.tif 000005
【図４】
2008080020.tif 000006
【図５】
2008080020.tif 000007
【図６】
2008080020.tif 000008
【図７】
2008080020.tif 000009
【図８】
2008080020.tif 000010
【図９】
2008080020.tif 000011
【図１０】
2008080020.tif 000012
【図１１】
2008080020.tif 000013
【図１２】
2008080020.tif 000014
【図１３】
2008080020.tif 000015